(57)【要約】【課題】  ディスクタイプを特定するまでの時間を短くすることが可能なディスク判定装置可能性を提供すること。【解決手段】  ディスク判定手段によって得られたディスクタイプを、ディスクタイプ集計手段が、ディスクタイプ毎に集計し該集計結果を漸次更新し、ディスク判定手段は、装填されたディスクが、ディスクタイプ集計手段によって得られた集計数の一番多いディスクタイプ順から該当するか否かを判定する。ディスクの入れ替え無しと判断した場合に、最新のディスクタイプを当該ディスクのディスクタイプとして、ディスクの判定処理を省略する。【選択図】        図３
2007026526.tif 000002
【特許請求の範囲】
【請求項１】
ディスクタイプを判定するディスク判定装置であって、
ディスクのディスクタイプを判定するディスク判定手段と、
前記ディスク判定手段により得られたディスクタイプを、ディスクタイプ毎に集計し該集計結果を漸次更新するディスクタイプ集計手段とを備えており、
前記ディスク判定手段は、前記ディスクが、前記ディスクタイプ集計手段によって得られた集計数の一番多いディスクタイプ順から該当するか否かを判定することを特徴とするディスク判定装置。
【請求項２】
前記ディスクの入れ替えを判断するディスク交換判断手段を備え、
前記ディスク判定手段は、前記ディスク交換判断手段が前記ディスクの入れ替え有りと判断した場合に、前記ディスクが、前記ディスクタイプ集計手段によって得られた集計数の一番多いディスクタイプ順から該当するか否かを判定することを特徴とする請求項１記載のディスク判定装置。
【請求項３】
前記ディスク判定手段は、前記ディスク交換判断手段が前記ディスクの入れ替え無しと判断した場合に、最新のディスクタイプを当該ディスクのディスクタイプとして、前記ディスク判定手段の判定処理を省略することを特徴とする請求項２記載のディスク判定装置。
【請求項４】
前記集計結果と、前記最新のディスクタイプとを記録する不揮発性メモリを備えたことを特徴とする請求項３記載のディスク判定装置。
【請求項５】
ディスクタイプを判定するディスク判定方法であって
ディスクのディスクタイプを判定するディスク判定行程と、
前記ディスク判定行程により得られたディスクタイプを、ディスクタイプ毎に集計し該集計結果を漸次更新するディスクタイプ集計行程とを備えており、
前記ディスク判定行程は、前記ディスクが、前記ディスクタイプ集計行程によって得られた集計数の一番多いディスクタイプ順から該当するか否かを判定することを特徴とするディスク判定方法。
【請求項６】
前記ディスクの入れ替えを判断するディスク交換判断行程を備え、
前記ディスク判定行程は、前記ディスク交換判断行程が前記ディスクの入れ替え有りと判断した場合に、前記ディスクが、前記ディスクタイプ集計行程によって得られた集計数の一番多いディスクタイプ順から該当するか否かを判定することを特徴とする請求項５記載のディスク判定方法。
【請求項７】
前記ディスク判定行程は、前記ディスク交換判断行程が前記ディスクの入れ替え無しと判断した場合に、最新のディスクタイプを当該ディスクのディスクタイプとして、前記ディスク判定行程の判定処理を省略することを特徴とする請求項６記載のディスク判定方法。
【請求項８】
前記集計結果と、前記最新のディスクタイプとを不揮発性メモリに記録する記録行程を備えたことを特徴とする請求項７記載のディスク判定方法。
【発明の詳細な説明】
【技術分野】
【０００１】
本発明は、ＭＤやＣＤ等のディスクメディアにおいて、再生専用メディアや追記可能メディア等の異なるディスクタイプを判定するディスク判定装置及びディスク判定方法に関する。
【背景技術】
【０００２】
従来のディスク判別（判定）方法では、カートリッジに形成される１又は複数の検出孔の開閉状態と、装填された記録媒体からの反射光に基づく信号を用いたディスク種別の結果とによって、ディスク種別と共に上記記検出孔による判別情報内容（例えば書込可否）を判別している（例えば特許文献１参照）。
【０００３】
すなわち、従来のディスク判別（判定）方法は、ディスクタイプを特定するためのいくつかの判定手段を用い、漸次、場合分けをして、ディスクタイプを特定している。
【特許文献１】特開２００４−２５３１１９（第１頁、図３４）
【発明の開示】
【発明が解決しようとする課題】
【０００４】
したがって、従来のディスク判定装置は、ディスク再生装置にディスクを装填する度に、いくつかの判定手段に対し、順を追うように判別していくため、ディスクタイプを特定するまでの時間をある程度要していた。
【０００５】
そこで本発明は、このような状況に鑑みてなされたものであり、上記問題点を解決できるディスク再生装置及びディスク再生方法を提供することを目的とする。
【課題を解決するための手段】
【０００６】
上記技術課題を達成するために、本発明にかかるディスク再生装置及びディスク再生方法は、下記の技術的手段を講じた。
すなわち、請求項１にかかるディスク再生装置は、ディスクタイプを判定するディスク判定装置であって、ディスクのディスクタイプを判定するディスク判定手段と、前記ディスク判定手段により得られたディスクタイプを、ディスクタイプ毎に集計し該集計結果を漸次更新するディスクタイプ集計手段とを備えており、前記ディスク判定手段は、前記ディスクが、前記ディスクタイプ集計手段によって得られた集計数の一番多いディスクタイプ順から該当するか否かを判定することを特徴とする。
請求項２にかかるディスク再生装置は、請求項１において、前記ディスクの入れ替えを判断するディスク交換判断手段を備え、前記ディスク判定手段は、前記ディスク交換判断手段が前記ディスクの入れ替え有りと判断した場合に、前記ディスクが、前記ディスクタイプ集計手段によって得られた集計数の一番多いディスクタイプ順から該当するか否かを判定することを特徴とする。
請求項３にかかるディスク再生装置は、請求項２において、前記ディスク判定手段は、前記ディスク交換判断手段が前記ディスクの入れ替え無しと判断した場合に、最新のディスクタイプを当該ディスクのディスクタイプとして、前記ディスク判定手段の判定処理を省略することを特徴とする。
請求項４にかかるディスク再生装置は、請求項３において、前記集計結果と、前記最新のディスクタイプとを記録する不揮発性メモリを備えたことを特徴とする。
請求項５にかかるディスク再生方法は、ディスクタイプを判定するディスク判定方法であって、ディスクのディスクタイプを判定するディスク判定行程と、前記ディスク判定行程により得られたディスクタイプを、ディスクタイプ毎に集計し該集計結果を漸次更新するディスクタイプ集計行程とを備えており、前記ディスク判定行程は、前記ディスクが、前記ディスクタイプ集計行程によって得られた集計数の一番多いディスクタイプ順から該当するか否かを判定することを特徴とする。
請求項６にかかるディスク再生方法は、請求項５において、前記ディスクの入れ替えを判断するディスク交換判断行程を備え、前記ディスク判定行程は、前記ディスク交換判断行程が前記ディスクの入れ替え有りと判断した場合に、前記ディスクが、前記ディスクタイプ集計行程によって得られた集計数の一番多いディスクタイプ順から該当するか否かを判定することを特徴とする。
請求項７にかかるディスク再生方法は、請求項６において、前記ディスク判定行程は、前記ディスク交換判断行程が前記ディスクの入れ替え無しと判断した場合に、最新のディスクタイプを当該ディスクのディスクタイプとして、前記ディスク判定行程の判定処理を省略することを特徴とする。
請求項８にかかるディスク再生方法は、請求項７において、前記集計結果と、前記最新のディスクタイプとを不揮発性メモリに記録する記録行程を備えたことを特徴とする。
【発明の効果】
【０００７】
本発明によれば、ディスク判定手段によって得られたディスクタイプを、ディスクタイプ集計手段が、ディスクタイプ毎に集計し該集計結果を漸次更新し、ディスク判定手段は、（装填された）ディスクが、ディスクタイプ集計手段によって得られた集計数の一番多いディスクタイプ順から該当するか否かを判定するから、ディスクタイプを特定するまでの時間を、短くすることが可能とすることができる。
【０００８】
しかも、ディスク交換判断手段が、ディスクの入れ替え無しと判断した場合に、最新のディスクタイプを当該ディスクのディスクタイプとして、ディスク判定手段の判定処理を省略するから、ディスクタイプを特定するまでの時間がなくなり、即座にディスク再生や記録をすることができる。
【発明を実施するための最良の形態】
【０００９】
次に、本発明にかかるディスク判定装置の実施の形態を説明するが、本実施の形態にかかるディスク判定装置は、音楽コンテンツを再生するＭＤプレーヤーに組み込んだものを例にして説明する。
本実施の形態にかかるディスク判定装置を適用したＭＤプレーヤーは、図１に示すように、ＲＯＭ１（Read Only Memory）と、不揮発性メモリ２と、制御部３と、表示部４と、入力部５と、ディスク収納部６とを備えて構成され、ＬｅｇａｃｙＭＤ（録音再生兼用タイプ）、ＰｒｅｍａｓｔｅｒｅｄＭＤ（再生専用タイプ）、Ｈｉ−ＭＤ１、Ｈｉ−ＭＤ１Ｕ、Ｈｉ−ＭＤ３等の複数のディスクタイプが再生可能になっている。
【００１０】
ＲＯＭ１（Read Only Memory）は、データの読み込みが行える周知のメモリーであり、本実施の形態にかかるディスク判定を実現するための制御プログラムや、ＭＤプレーヤーとして実現するための制御プログラム等が格納されている。
【００１１】
このうち、ディスク判定を実現するための制御プログラムは、ディスク交換判断ステップと、ディスク判定ステップと、ディスクタイプ集計ステップとを備えてなる。
【００１２】
ディスク交換判断ステップは、後述する開閉蓋に設けたセンサーからの信号に基づいて、ディスクの入れ替えがあったか否かを判断するようになっている。
【００１３】
ディスク判定ステップは、ディスクタイプを特定するためのいくつかの判定ステップ（周知技術である）を備え、後述するディスクタイプ集計ステップによって得られたディスク挿入回数（集計数）の一番多いディスクタイプ順から、後述するディスク収納部６に収納されたディスクが該当するか否かを判定するようになっている。なお、初期状態は、予め任意に設定されたディスク判定ステップによってディスクタイプを判定するようになっている。
【００１４】
すなわち、後述するディスク収納部６に収納されたディスクが、後述するディスクタイプ集計ステップによって得られたディスク挿入回数の一番多いディスクタイプと仮定して、その一番多いディスクタイプと判定できる最短の判定ステップで判定するようになっている。
【００１５】
仮に、ディスク収納部６に収納されたディスクが、ディスク挿入回数の一番多いディスクタイプでは無いと判定した場合、次にディスク挿入回数の多いディスクタイプと仮定して、そのディスクタイプであるか否かを判定するようになっており、ディスクタイプが判定できるまで繰り返される。仮に、全ての判定ステップでも判定できない場合は、ディスクの損傷などであり、メディアに異常がある旨を後述する表示部に表示するなど、通常のエラー処理が行われる。
【００１６】
このディスク判定ステップは、ディスク交換判断ステップによって、ディスクの入れ替え有りと判断した場合に行われ、ディスクの入れ替え無しと判断した場合（例えば、ＭＤプレーヤーの再生を止めて、電源釦ＯＦＦにしても、後述する開閉蓋の操作をしなければ、ディスクの入れ替えが行われていないと判断できる）は、後述する不揮発性メモリに記録されているディスクタイプを、当該ディスクのディスクタイプとして取り扱い、このディスク判定ステップの判定処理は省略されるようになっている。
【００１７】
ディスクタイプ集計ステップは、ディスク判定ステップにより得られたディスクタイプを、後述する不揮発性メモリ２に、ディスクタイプ毎に集計するように記録するようになっている。この集計結果は、ディスク判定を行う度に、漸次更新される。
【００１８】
不揮発性メモリ２は、上記した集計結果と、ディスク判定ステップにより得られた最新のディスクタイプとを記録するようになっており、ハードリセット（例えば電源が完全に落ちた状態や、工場出荷時状態を指す。因みに、ＭＤプレーヤーの電源釦ＯＦＦ状態はスリープモードになっている）しても、この集計結果と、最新のディスクタイプは消去されないようになっている。
【００１９】
制御部３は、ピックアップや、アンプ機能を含み、上述したディスク判定を実現するための制御プログラムや、ＭＤプレーヤーとして実現するための制御プログラムに基づいて、各部を制御させるようになっている。
【００２０】
表示部４は、各種情報が表示される液晶パネルからなる。
入力部５は、再生に関する操作釦などからなる。
【００２１】
ディスク収納部６は、開閉蓋を有し、収納したディスクを該開閉蓋で被装するように構成されている。さらに、このディスク収納部６には、開閉蓋の開閉状態を検出するセンサー（例えばマイクロスイッチや光電スイッチ等）が取着されており、制御部３に開閉蓋の開閉状態を送信するようになっている。なお、このセンサーは、開閉蓋の開閉状態を検出すると同時にディスク収納部にディスクが収納されているか否かをも判定するようにしてもよい。
【００２２】
次に以上のように構成された本実施の形態にかかるディスク判定装置を適用したＭＤプレーヤーの一連の処理を図２のフローチャートを用いて説明する。
【００２３】
ハードリセット状態（工場出荷時状態）のＭＤプレーヤーにバッテリ等を入れ、開閉蓋を開いてディスクをセットし、ＭＤプレーヤーに設けた電源釦をＯＮにして再生可能な状態にすると、まず、不揮発性メモリ２内のディスクタイプ情報を一旦クリアする（Ｓ１）。
【００２４】
次いで、開閉蓋を開いてディスク収納部６にディスクを入れると、初期状態として予めセットされているディスク判定ステップに従ってディスクタイプを判定する（Ｓ２）。なお、このＳ２は、ディスクの挿入頻度に応じて判定の優先順位が変更する（図３参照）。
【００２５】
Ｓ２において、ディスクタイプを判定したら、不揮発性メモリー２に判定したディスクタイプ情報を記録する（Ｓ３）。
【００２６】
開閉蓋オープンによるディスク判定か否かを判断する（Ｓ４）。今回のディスク判定は開閉蓋オープンによるディスク判定となる（開閉蓋の開閉状態を検出するセンサーの信号によって）ことから（Ｓ４：ＹＥＳ）、ディスクタイプ毎のディスク挿入回数をインクリメントし、不揮発性メモリ２に記録する（Ｓ５）。
【００２７】
そして、今回最初に判定したディスクタイプが、ディスクタイプ毎のディスク挿入回数のうちで一番多いディスクタイプになるため、初期状態として予めセットされているディスク判定ステップを、今回に判定したディスクタイプが次回最短で判定できるようにディスク判定ステップの順番を入れ替えた判定順番情報（図３中央参照）を不揮発性メモリ２に記録する（Ｓ６）。
【００２８】
そして、ＭＤプレーヤーの電源釦がＯＦＦにされない限り（Ｓ８：ＮＯ）、ユーザーが所望した再生モードによる音楽コンテンツの再生を行う等の通常の処理を行う（Ｓ７）。
ＭＤプレーヤーの電源釦がＯＦＦにされた場合（Ｓ８：ＹＥＳ）、ＭＤプレーヤーはスリープモードになり（Ｓ９）、ＭＤプレーヤーの電源釦がＯＮになるか、開閉蓋が開かれるか、どちらかの動作が行われるまで待機状態になる（Ｓ１０）。
【００２９】
Ｓ１０において、開閉蓋が開かれてスリープモードから解除した場合（Ｓ１１：ＹＥＳ）、前回判定して不揮発性メモリ２内に記録したディスクタイプ情報をクリアし、上記した一連の処理手順でディスク判定を含んだ処理をする。なお、Ｓ２において、さきほどＳ６で更新された判定順番情報に基づいてディスク判定を行う。この一連の処理は、開閉蓋が開閉する度に行われ、夫々のディスク挿入回数に応じて、判定順番情報はその都度更新する。
【００３０】
Ｓ１０において、ＭＤプレーヤーの電源釦がＯＮにされた場合など、開閉蓋が開くことなくスリープモードから解除した場合（Ｓ１１：ＮＯ）、ディスクの入れ替え無しと判断し、Ｓ３において不揮発性メモリ２に記録したディスクタイプを読み出す（Ｓ１２）。
【００３１】
そして、ディスク判定処理（Ｓ２）において、このディスク判定処理を省略して、再度、不揮発性メモリ２に当該ディスクタイプを記録する（Ｓ３）。なお、この場合、Ｓ３の処理を省略しても良い。
【００３２】
次いで、今度は開閉蓋の操作によるディスク判定ではないため（Ｓ４：ＮＯ）、ディスクタイプ毎のディスク挿入回数のインクリメント処理（Ｓ５）や、判定順番情報の更新（Ｓ６）をすることなく、ユーザーが所望した再生モードによる音楽コンテンツの再生を行う等の通常の処理を行う（Ｓ７）。Ｓ８以下の処理は上記と同様である。
【００３３】
このように、複数のディスクメディアを使用する本実施の形態にかかるＭＤプレーヤーは、ディスク非交換時のプレーヤー起動時に行われるディスク判定処理を省略し、またディスクの挿入頻度に応じた判定の優先順位の変更により、ハードリセット直後とディスク挿入後のプレーヤーの起動時に行われるディスク判定処理を高速化することによって、通常の処理（Ｓ７）に至る起動の高速化を行うようになっている。
【００３４】
以上、本実施の形態にかかるディスク判定装置を適用したＭＤプレーヤーを説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００３５】
【図１】本実施の形態にかかるディスク判定装置を適用したＭＤプレーヤーのシステム構成図である。
【図２】本実施の形態にかかるディスク判定装置の一連の処理を示すフローチャートである。
【図３】判定順番情報を模式的に表した説明図である。
【符号の説明】
【００３６】
１  ＲＯＭ
２  不揮発性メモリ
３  制御部
４  表示部
５  入力部
６  ディスク収納部
【図１】
2007026526.tif 000003
【図２】
2007026526.tif 000004
【図３】
2007026526.tif 000005